(57)【特許請求の範囲】
【請求項１】
切欠部を設けた板状体に熱媒循環用パイプの経路を設けて成るパネルユニットの複数を縦横に隣接させて所望の広さの床暖房用パネルを構成すると共に、隣接する切欠部により空間部を構成するものにおいて、上記経路は、板状体に形成した溝に熱媒循環用パイプを装着して構成すると共に、上記経路の端部を切欠部に位置させる構成とし、前記切欠部の端縁から内側に低段部を構成すると共に、経路を構成する溝は、この低段部に対応する経路の端部近傍において切欠部方向に低くなる傾斜部を構成し、経路の曲がり部において熱媒循環用パイプの外径よりも幅広に構成すると共に、経路の端部近傍において切欠部方向に末広がりに構成したことを特徴とする床暖房用パネルユニット
【請求項２】
熱媒循環用パイプの外径よりも幅広に構成する経路の曲がり部は、経路の端部から１回目の曲がり部のみとすることを特徴とする請求項１記載の床暖房用パネルユニット
【請求項３】
切欠部は板状体の隅に設けることを特徴とする請求項１又は２記載の床暖房用パネルユニット
【請求項４】
切欠部は板状体の辺の中央部に設けることを特徴とする請求項１又は２記載の床暖房用パネルユニット
【請求項５】
切欠部は、板状体を斜めに切り欠いた直角二等辺三角形状に構成したことを特徴とする請求項１〜４までのいずれか１項に記載の床暖房用パネル
【請求項６】
切欠部は、方形状に構成したことを特徴とする請求項１〜４までのいずれか１項に記載の床暖房用パネル
【請求項７】
支持脚を備え、所定の高さに支持可能な構成としたことを特徴とする請求項１〜６までのいずれか１項に記載の床暖房用パネルユニット
【請求項８】
請求項１に記載の床暖房用パネルユニットの複数を縦横に隣接させると共に隣接する切欠部により空間部を構成し、この空間部において所望の他の経路の熱媒循環用パイプの端部相互間を接続用部材により接続すると共に、所望の経路の熱媒循環用パイプの端部に熱媒の供給用部材を接続し、更に空間部の周囲に形成される低段部に、その深さと同じ厚さの接合板を嵌合し、接合板を各パネルユニットに固定することにより隣接するパネルユニットを接合することを特徴とする床暖房用パネル
【請求項９】
床暖房用パネルユニットは、支持脚を備え、所定の高さに支持可能な構成としたことを特徴とする請求項８記載の床暖房用パネル
【発明の詳細な説明】
【０００１】
【発明の属する技術分野】
本発明は床暖房用パネルユニット及びそれを用いた床暖房用パネルに関するものである。
【０００２】
【従来の技術】
近来、熱媒循環用パイプを設けたパネルユニットの複数を縦横に隣接させて所望の広さの床暖房用パネルを構成することが提案されている。
例えば、本出願人の先の出願、特願平８−２４２８５５号の願書に添付した明細書及び図面に示すものでは、各パネルユニットは、図１８、図１９に示すように正方形の板状体ａの４隅に切欠部ｂを設け、切欠部ｂの近傍下側に支持脚ｃ（◎で位置を表示）を設置すると共に、熱媒循環用パイプｄを蛇行させて１経路構成し、この熱媒循環用パイプｄの両端部を一隅の切欠部ｂに位置させた構成である。このパネルユニットｅでは、切欠部ｂの形状は、隅を直角に切り欠いた正方形の形状としている。
【０００３】
この構成において、各パネルユニットｅを、熱媒循環用パイプｄの両端部が位置する夫々の一隅を対向させるように４つを１群として隣接すると、それらの切欠部ｂにより、切欠部の４倍の大きさの正方形状の空間部ｆが構成され、この空間部ｆにおいて、夫々の熱媒循環用パイプｄの端部を熱源装置に連なる熱媒往き管、熱媒還り管のヘッダーｈ等の管継手構造の供給用部材に接続して、温水を循環供給させるようにしたり、隣接のパネルユニットｅを帯板状金具等の接続用部材ｇにより接合する。
この後、空間部ｆを塞ぐために、パネルユニットｅの、少なくとも上側に捨貼合板ｉを積層し、その上側にフローリング床等の仕上床材ｊを積層して床を構成している。
【０００４】
以上の構成において、熱媒循環用パイプｄの経路は、板状体ａに形成した溝（図示省略）に熱媒循環用パイプｄを装着して構成し、その後、切欠部ｂに位置する熱媒循環用パイプｄの端部に上記供給用部材を接続している。溝は熱媒循環用パイプｄを確実に装着するために遊びのない構成としている。
また本発明者等による他の発明においては、各パネルユニットに複数の熱媒循環用パイプの経路を構成して、各熱媒循環用パイプの端部を夫々の切欠部に位置させ、上記空間部において、同じパネルユニットの熱媒循環用パイプの端部間又は隣接するパネルユニットの熱媒循環用パイプの端部間を管継手構造の接続用部材により接続して適宜の直列経路を構成するようにしている。
【０００５】
【発明が解決しようとする課題】
熱媒循環用パイプを溝に装着して経路を構成する際には、必ずしも全て同一の状態で装着することはできないので、熱媒循環用パイプの端部の位置が所定の位置よりもずれてしまうことがある。しかしながら、溝は熱媒循環用パイプを遊びなく装着するように構成しているので、熱媒循環用パイプの端部の位置を調整することはできない。このため、上記管継手構造の供給用部材や接続用部材の接続が困難となる場合がある。
本発明では、このような課題を解決することを目的とするものである。
【０００６】
【課題を解決するための手段】
上述した課題を解決するために、本発明では、まず、切欠部を設けた板状体に熱媒循環用パイプの経路を設けて成るパネルユニットの複数を縦横に隣接させて所望の広さの床暖房用パネルを構成すると共に、隣接する切欠部により空間部を構成するものにおいて、上記経路は、板状体に形成した溝に熱媒循環用パイプを装着して構成すると共に、上記経路の端部を切欠部に位置させる構成とし、前記切欠部の端縁から内側に低段部を構成すると共に、経路を構成する溝は、この低段部に対応する経路の端部近傍において切欠部方向に低くなる傾斜部を構成し、経路の曲がり部において熱媒循環用パイプの外径よりも幅広に構成すると共に、経路の端部近傍において切欠部方向に末広がりに構成した床暖房用パネルユニットを提案する。
【０００７】
本発明では、以上の構成において、熱媒循環用パイプの外径よりも幅広に構成する経路の曲がり部は、経路の端部から１回目の曲がり部のみとすることを提案する。
【０００８】
本発明では、以上の構成において、切欠部は、板状体の隅や、辺の中央部に設けることができる。
【０００９】
また本発明において切欠部は、板状体を斜めに切り欠いた直角二等辺三角形状に構成したり、方形状に構成することができる。
【００１０】
また本発明では、上述した切欠部の端縁から内側に低段部を構成すると共に、経路を構成する溝は、この低段部に対応する経路の端部近傍において切欠部方向に低くなる傾斜部を構成する床暖房用パネルユニットの複数を縦横に隣接させると共に隣接する切欠部により空間部を構成し、この空間部において所望の他の経路の熱媒循環用パイプの端部相互間を接続用部材により接続すると共に、所望の経路の熱媒循環用パイプの端部に熱媒の供給用部材を接続し、更に空間部の周囲に形成される低段部に、その深さと同じ厚さの接合板を嵌合し、接合板を各パネルユニットに固定することにより隣接するパネルユニットを接合する構成の床暖房用パネルを提案する。
【００１１】
そして本発明では、以上の構成において、床暖房用パネルユニットは、支持脚を備え、所定の高さに支持可能な構成とすることを提案する。
【００１２】
以上の本発明によれば、熱媒循環用パイプの経路の曲がり部に対応する溝の部分に構成した幅広な遊びにより、熱媒循環用パイプの端部位置を、その長さ方向に調整することができる。
また熱媒循環用パイプの経路の端部近傍に対応する溝の部分に切欠部方向に構成した末広がりな構成の遊びにより、熱媒循環用パイプの端部位置を、横方向に調整することができる。
従って、前者又は後者のいずれか、又は両者を適用することにより、上述した管継手構造の供給用部材や接続用部材の接続が容易となる。
【００１３】
【発明の実施の形態】
次に本発明の実施の形態を図を参照して説明する。まず、図１は本発明を適用するパネルユニットＵの第１の実施の形態を示す平面図であり、図２は図１のＡ−Ａ線断面図である。また、図３は図１のパネルユニットＵの右上部分の拡大図、図４は図３のＢ−Ｂ線断面図である。また図５は、以上のパネルユニットの複数を縦横に隣接させて構成した床暖房用パネルの一部を模式的に示す平面図である。
符号１は板状体であり、この板状体１は正方形であって、各隅には、斜めに切り欠いた直角二等辺三角形状の切欠部２（２ａ，２ｂ，２ｃ，２ｄ）を設けており、この切欠部２の端縁から内側に低段部７を構成している。
図２に示すように板状体１の上面には、隣接する切欠部２に夫々の端部が位置するように複数の溝４を形成しており、これらの夫々に熱媒循環用パイプ３を装着することにより、熱媒循環用パイプ３を４経路構成するものとしている。
即ち、熱媒循環用パイプ３は切欠部２ａ，２ｂ；２ｂ，２ｃ；２ｃ，２ｄ；２ｄ，２ａ間の溝４に夫々装着して、経路３ａ；３ｂ；３ｃ；３ｄの４経路構成していて、それらの経路の熱媒循環用パイプ３の両側の夫々の端部は、切欠部２ａ，２ｂ；２ｂ，２ｃ；２ｃ，２ｄ；２ｄ，２ａに位置させている。
これらの熱媒循環用パイプ３の４経路のうち、経路３ｄは蛇行させた構成とすると共にその他の経路３ａ，３ｂ，３ｃは直線状経路として構成している。
図３に示すように、溝４は、経路の曲がり部において熱媒循環用パイプ３の外径よりも幅広（幅広部Ｗａ）に構成しており、また経路の端部近傍において切欠部２方向に末広がり（末広がり部Ｗｂ）に構成している。一方、溝４は、以上の個所を除いては、熱媒循環用パイプ３が確実に装着できるように、熱媒循環用パイプ３の外径と同じか、または僅かに大きい幅に構成している。
以上の構成において所定の長さに予め切断した熱媒循環用パイプ３を溝４に押し込んで装着することにより、熱媒循環用パイプ３の所定の経路を構成することができ、各熱媒循環用パイプ３の経路の形状は、溝４により適宜に構成することができる。
このように熱媒循環用パイプ３の経路を構成する際、熱媒循環用パイプ３は、後述する接続用部材や供給用部材に接続可能とするように切欠部２の面から外側に適宜長突出させるような長さとする。
【００１４】
ここで、板状体１は、床の荷重を支えることができる材質であれば、木質合板、パーチクルボード、発泡プラスチックス板またはこれらの複合体等の適宜の材質のものを適用することができる。
また板状体１の切欠部２は、上述したように板状体１の隅を斜めに切り欠いた直角二等辺三角形状に構成する他、従来と同様な形状、即ち、板状体１の隅を直角に切り欠いた正方形状に構成することもできる。
熱媒は、例えば温水であり、この場合、熱媒循環用パイプ３は、例えば架橋ポリエチレン等の、耐圧、耐熱、耐久性に優れた材質のパイプを使用することができる。
一方、この実施の形態では、板状体１の下側の図中◎印で示す位置、即ち、４隅の切欠部２（２ａ，２ｂ，２ｃ，２ｄ）の近傍位置と、各隅間の中間位置と、中心位置の夫々に支持脚５を配置する構成としている。この他、支持脚５を配置する位置は、少なくとも４隅の切欠部２（２ａ，２ｂ，２ｃ，２ｄ）の近傍位置に設ける他は、上述した位置以外の適所に設定することができ、また場合によっては、支持脚を設けない床暖房用パネルユニットとすることもできる。
【００１５】
以上の構成において、複数のパネルユニットＵを縦横に隣接させて配置すると、図５、図６に示すように向かい合った夫々の切欠部２により、パネルユニットＵの形状に対して４５゜回転した形状の正方形状の空間部Ｓが形成される。従って、この空間部Ｓにおいて、各経路３ａ，３ｂ，３ｃ，３ｄの熱媒循環用パイプ３の所定の端部相互間を接続用部材１０により接続して各経路を連通させ、所定の対を成す各経路の熱媒循環用パイプ３の端部を、熱源装置に連なる熱媒往き管１３（後述）と熱媒還り管１４（後述）に接続した供給用部材１１に接続して熱媒を循環供給可能に構成することができると共に、隣接のパネルユニットＵ（Ｕ1，Ｕ2，Ｕ3，Ｕ4）間を接合して所定の広さの床暖房用パネルを構成することができる。
接続用部材１０や供給用部材１１は後述する実施の形態に示すように管継手構造のもので、これらを円滑に熱媒循環用パイプ３の端部に接続するためには、熱媒循環用パイプ３の端部を空間部Ｓの所定位置にもたらす必要がある。
上述したとおり、従来は、このような熱媒循環用パイプ３の位置の調整が困難であったのであるが、本発明の構成においては、上述したとおり、熱媒循環用パイプ３の経路の曲がり部Ｔに対応する溝４の部分に構成した幅広部Ｗａが遊びとなるため、熱媒循環用パイプ３の端部位置を、その長さ方向に調整することができる。このような長さ方向の調整量が余り必要でない場合には、幅広部Ｗａを構成する経路の曲がり部は、経路の端部から１回目の曲がり部のみとすることができる。しかし、図に示すように全ての曲がり部に幅広部Ｗａを構成した実施の形態の場合には、夫々の幅広部Ｗａにより順次位置を調整することにより、大きな調整量を得ることができる。
また本発明では、熱媒循環用パイプ３の経路の端部近傍に対応する溝の部分に切欠部方向に構成した末広がり部Ｗｂが遊びとなるため、熱媒循環用パイプの端部位置を横方向に調整することができる。
こうして本発明では、管継手構造の接続用部材１０や供給用部材１１を熱媒循環用パイプ３に接続する際に、熱媒循環用パイプ３の端部の位置を、これらの部材１０，１１に応じて適切に調整することができる。
幅広部Ｗａと末広がり部Ｗｂは、図示の実施の形態のように両方を適用してもよいが、いずれか一方のみを適用することもできる。
【００１６】
次に、この実施の形態において、隣接のパネルユニットＵ間の接合は、上記低段部７により空間部Ｓの周縁に形成される正方形状の低段部に、図６、図８、図９に示すように接合板６を嵌合し、釘等で板状体１に固定することにより行う。  このような接合方法を適用するために、溝４には図７〜図９に示すように低段部７に対応して傾斜部８を形成しており、このため溝４に装着する熱媒循環用パイプ３の端部側は図７に示すように傾斜部８を経て接合板６の下側から空間部Ｓに至る構成としている。
【００１７】
上述したように図５は複数のパネルユニットＵを縦横に隣接させて構成する床暖房用パネルの第１の形態を示すもので、この形態は、縦横に隣接させた複数のパネルユニットＵの隣接する４つを１群とする構成である。
即ち、図５に示すものでは、縦横に隣接させたパネルユニットの隣接する４つＵ1，Ｕ2，Ｕ3，Ｕ4を１群とし、その中心側に位置する切欠部２により構成される空間部Ｓにおいて、各切欠部に位置する夫々のパネルユニットＵの２経路の熱媒循環用パイプ３の端部を上記供給用部材１１、この場合ヘッダーに接続すると共に、上記１群の周囲側に位置する切欠部２により構成される空間部Ｓ′において、各切欠部に位置する２経路の熱媒循環用パイプ３の端部相互間を接続用部材１０により接続することにより、上記１群を構成する隣接の４つのパネルユニットの熱媒循環用パイプ３に１群の中心側から並列に熱媒を循環供給可能に構成している。このような熱媒の循環形態自体は図１８に示す従来のものと同様である。この他、熱媒の循環形態としては、上記隣接の４つのパネルユニットＵの熱媒循環用パイプ３を全て直列に接続して循環する構成としたり、直並列に接続して循環する構成とする等、適宜である。また循環の系統が共通の１群のパネルユニットＵの数も、４つ以上とすることができる。
【００１８】
以上のように構成する床暖房用パネルは、例えば図９に示すように夫々のパネルユニットＵに配置した支持脚５により床スラブ９等から所定の高さに支持することができる。この際、支持脚５は、以上の施工に先んじて予め板状体１の所定位置に固定しておく一体構成としても良いし、施工時に所定位置に固定するような構成とすることができる。
そして以上のように構成した床暖房用パネルの上側に、例えばフローリング床等の仕上床材１２を積層して床を構成することができる。即ち、本発明では、接合板６を空間部Ｓの周囲の低段部７に嵌合して各パネルユニットＵに固定すれば、接合板６は、空間部Ｓを塞ぐと同時に隣接した４つのパネルユニットＵを接合することができ、更に、各パネルユニットＵの上面と接合板６の上面は同一平面上となるので、従来のように捨貼合板を積層せずに上記フローリング床等の仕上床材１２を積層することができる。勿論、場合によっては捨貼合板を積層することもできる。
【００１９】
ここで、１群の４つのパネルユニットＵの熱媒循環用パイプ３を全て直列に接続する循環形態の例につき、接続用部材１０と供給用部材１１の具体例を説明する。まず図１０は空間部Ｓの近傍を拡大し、一部を便宜的に断面表示した平面図、図１１は接合板６で接合した状態における図１０のＤ−Ｄ線断面図である。そして図１２〜図１４は接続用部材１０と供給用部材１１を構成する要素の正面図である。
この具体例では、接続用部材１０は、図１３に示すメス部材１５と図１２に示すオス部材１６とから構成している。メス部材１５は両端を閉じたプラスチックス製等の筒体１７の両端側の横方向に接続筒部１８を突出させ、夫々の接続筒部１８の先端にフランジ部１９を設けた構成である。またオス部材１６は９０゜曲がったパイプ２０の一方の端側に熱媒循環用パイプ３への嵌入筒部２１を設けると共に、他方の端側にはメス部材１５の接続筒部１８への嵌入筒部２２を設けた構成であり、嵌入筒部２１，２２の夫々には水密的な接続を保持する手段を設けている。即ち、この例では、架橋ポリエチレン等の弾性変形が可能な材質の熱媒循環用パイプ３内に嵌入する嵌入筒部２１は、いわゆる竹の子と称される凹凸部を設けた構成としており、また弾性変形のしにくい材質のメス部材１５の接続筒部１８内に嵌入する嵌入筒部２２は、外周にゴムパッキン２３を装着した構成としている。また嵌入筒部２２の後側には、接続筒部１８のフランジ部１９と当接するフランジ部２４を設けている。
【００２０】
次に供給用部材１１は、図１２に示すメス部材２５と図１０に示すオス部材１６とから構成している。即ち、オス部材１６は接続用部材１０と供給用部材１１に兼用する部材である。従って、メス部材２５は、概ね、接続用部材１０用のメス部材１５と同様な構成であり、筒体１７の両端側の横方向に、オス部材１６の嵌入筒部２２を嵌入させる接続筒部１８を突出させ、夫々の接続筒部１８の先端にフランジ部１９を設けている。そして、このような構成に加えて、メス部材２５は、筒体１７の一端側は閉止せずに熱媒往き管１３及び熱媒還り管１４への嵌入筒部２６を設けた構成としており、この嵌入筒部２６には、水密的な接続を保持する手段としての竹の子と称される凹凸部を設けている。
【００２１】
以上の構成においては、接続する２つの経路の熱媒循環用パイプ３の夫々の端部にオス部材１６の嵌入筒部２１を嵌入すると共に、夫々の嵌入筒部２２をメス部材１５の接続筒部１８に嵌入することにより、空間部Ｓ、Ｓ′の下方において２つの経路を連通することができる。
【００２２】
また熱媒往き管１３又は熱媒還り管１４に接続する経路の熱媒循環用パイプ３には、上記と同様にオス部材１６の嵌入筒部２１を嵌入すると共に、夫々の嵌入筒部２２をメス部材２５の接続筒部１８に嵌入し、さらにメス部材２５の嵌入筒部２６を熱媒往き管１３又は熱媒還り管１４に接続することにより、隣接する２つの経路の熱媒循環用パイプ３と、熱媒往き管１３又は熱媒還り管１４を、空間部Ｓの下方において供給用部材１１を介して接続することができる。
尚、図示は省略しているが、オス部材１６とメス部材１５，２５の接続においては、当接したフランジ２４，１９をクリップ等で挟持することにより、水圧による外れを防止することができる。
【００２３】
次に図１５はパネルユニットＵを複数縦横に隣接させて構成する本発明の床暖房用パネルの第２の実施の形態を示すもので、この形態では、各パネルユニットＵは２隅にのみ切欠部２を設けている構成である。そして熱媒循環用パイプ３の経路は、切欠部２ａ，２ｂ間に２経路３ｓ，３ｗを設けている。これらの経路３ｓ，３ｗに関する溝４の構成は上述した実施の形態と同様である。
この構成においてこれらのパネルユニットＵを縦横に隣接させ、隣接させた３つのパネルユニットＵ1，Ｕ2，Ｕ3を１群として、群を列設し、夫々の列ａ，ｂ，ｃ，ｄ，…毎に直列に熱媒を循環供給する構成としている。そしてこれらの複数のパネルユニットＵは図１６に示すように、上述した従来のものと同様に、捨貼合板２７により空間部Ｓを塞ぐと共に隣接するパネルユニットＵ間を接合し、次いで仕上床板１２を固定して仕様状態としている。
尚、この形態において、上述の形態と同様な要素には同一の符号を付して重複する説明は省略する。
【００２４】
この形態においては、切欠部２ａ，２ｄを設けていないパネルユニットＵの辺の夫々が一線上となる隣接部分では空間部が形成されないので、この空間部から床下空間等に熱が放散することを防ぐことができる。
【００２５】
次に図１７は本発明にかかる床暖房用パネルの第３の実施の形態を示すものである。この実施の形態では、方形の板状体１の辺の中央部に切欠部２（２ａ，２ｂ，２ｃ，２ｄ）を設け、切欠部の端縁から内側に低段部７を構成すると共に、熱媒循環用パイプ３の端部を、少なくとも一つの切欠部２ａに配置してパネルユニットＵを構成している。
このパネルユニットＵの複数を縦横に隣接させて所望の広さに構成すると、向かい合った切欠部２により空間部Ｓ、Ｓ′が構成され、これらの空間部Ｓ、Ｓ′の周囲に形成される低段部７に、その深さと同じ厚さの接合板８を嵌合し、接合板８を各パネルユニットＵに固定することにより隣接するパネルユニットＵを接合する構成である。
尚、この実施の形態において、熱媒循環用パイプ３の経路は、以上の実施の形態と同様な構成の溝４により構成し、その数や形状、切欠部２の形状等は適宜である。
【００２６】
【発明の効果】
本発明は以上のとおり、切欠部を設けた板状体に熱媒循環用パイプの経路を設けて成るパネルユニットの複数を縦横に隣接させて所望の広さの床暖房用パネルを構成すると共に、隣接する切欠部により空間部を構成するものにおいて、熱媒循環用パイプの経路の曲がり部に対応する溝の部分に幅広部を構成したり、熱媒循環用パイプの経路の端部近傍に対応する溝の部分に切欠部方向に末広がり部を構成したので、熱媒循環用パイプの端部位置を適宜に調整することができ、管継手構造の供給用部材や接続用部材の接続が非常に容易になるという効果がある。
【図面の簡単な説明】
【図１】本発明の床暖房用パネルに適用するパネルユニットの実施の形態を概念的に示す平面図である。
【図２】図１のＡ−Ａ線断面図である。
【図３】図１の右上部分の拡大図である。
【図４】図３のＢ−Ｂ線断面図である。
【図５】図１のパネルユニットを複数縦横に隣接させて構成する本発明の床暖房用パネルの第１の形態を模式的に示す平面図である。
【図６】図３の要部拡大斜視図である。
【図７】図６のＣ−Ｃ線断面図である。
【図８】隣接したパネルユニットを接合した状態における図６のＣ−Ｃ線断面図である。
【図９】隣接したパネルユニットを接合した状態における空間部近傍の断面図である。
【図１０】空間部Ｓの近傍を拡大し、一部を便宜的に断面表示した平面図である。
【図１１】隣接のパネルユニットを接合板６で接合した状態における図１０のＤ−Ｄ線断面図である。
【図１２】接続用部材及び供給用部材を構成する要素の一例図である。
【図１３】接続用部材を構成する他の要素の一例図である。
【図１４】供給用部材を構成する他の要素の一例図である。
【図１５】パネルユニットを複数縦横に隣接させて構成する床暖房用パネルの第２の実施の形態を模式的に示す平面図である。
【図１６】隣接するパネルユニットを接合すると共に仕上床板を固定した状態を示す図１５の空間部近傍の断面図である。
【図１７】パネルユニットを複数縦横に隣接させて構成する床暖房用パネルの第３の実施の形態を模式的に示す平面図である。
【図１８】パネルユニットを複数縦横に隣接させて構成する床暖房用パネルの従来例を模式的に示す説明図である。
【図１９】従来の床暖房用パネルを用いて構成した床の一例を示す断面図である。
【符号の説明】
１                             板状体
２（２ａ，２ｂ，２ｃ，２ｄ）   切欠部
３                             熱媒循環用パイプ
３ａ，３ｂ，３ｃ，３ｄ         経路
４                             溝
５                             支持脚
６                             接合板
７                             低段部
８                             傾斜部
９                             床スラブ
１０                           接続用部材
１１                           供給用部材（ヘッダー）
１２                           仕上床材
１３                           熱媒往き管
１４                           熱媒還り管
１５                           メス部材
１６                           オス部材
１７                           筒体
１８                           接続筒部
１９                           フランジ部
２０                           パイプ
２１                           嵌入筒部
２２                           嵌入筒部
２３                           ゴムパッキン
２４                           フランジ部
２５                           メス部材
２６                           嵌入筒部
２７                           捨貼合板
【図１】
0003603983.tif 000002
【図２】
0003603983.tif 000003
【図３】
0003603983.tif 000004
【図４】
0003603983.tif 000005
【図５】
0003603983.tif 000006
【図６】
0003603983.tif 000007
【図７】
0003603983.tif 000008
【図８】
0003603983.tif 000009
【図９】
0003603983.tif 000010
【図１０】
0003603983.tif 000011
【図１１】
0003603983.tif 000012
【図１２】
0003603983.tif 000013
【図１３】
0003603983.tif 000014
【図１４】
0003603983.tif 000015
【図１５】
0003603983.tif 000016
【図１６】
0003603983.tif 000017
【図１７】
0003603983.tif 000018
【図１８】
0003603983.tif 000019
【図１９】
0003603983.tif 000020